(57)【要約】  液体（１０５）のコンテナー（１１０）の口（１２５）を閉じるための解決策が提案される。対応するクロージャ（１３５）は、  コンテナー（１１０）にキャップ（２０５）を固定するための固定手段（３１８）（キャップ（２０５）は、固定された状態でコンテナー（１１０）の縦軸（２０３）の周りで回転可能であり、クロージャ（１３５）は、コンテナー（１１０）に固定される）、コンテナー（１１０）から液体（１０５）を送達するための送達口（３３６）、液体（１０５）の送達中にコンテナー（１１０）の中に空気を吸引するためのキャップ吸引導管（３４５）、および、液体（１０５）の送達デバイス（８０５）を接続するためのコネクター（３４２）（コネクター（３４２）は、送達口（３３６）と流体連通している）、を有するキャップ（２０５）、  コンテナー（１１０）に対してカーソル（２０５）をねじ込むためのネジ山（４０６）、閉位置でのバルブ部材（４２４）（バルブ部材（２１５）は送達口（３３６）を閉じる）、および、キャップ吸引導管（３４５）とスライド可能に連結されたカーソル吸引導管（４３３）、を有するカーソル（２１０）、  キャップ吸引導管（３４５）またはカーソル吸引導管（４３３）を閉じる壊れやすいエレメント（３５１）、および、  キャップ（２０５）によってカーソル（２１０）をドラッグして回転させるためのドラッグ手段（３２７、４０９）（ここでクロージャ（１３５）は、キャップ（２０５）の少なくとも１回転に応答してキャップ（２０５）に対してカーソル（２１０）をスライドさせて、それにより、カーソル吸引導管（４３３）を動かして壊れやすいエレメント（３５１）を破壊してカーソル吸引導管（４３３）をキャップ吸引導管（３４５）と流体連通して配置してバルブ部材（４２４）を開位置に動かすように構成され、ここでバルブ部材（２１５）は、送達口（３３６）を開ける）、  を備える。【選択図】  図８Ｃ、図８Ｄ
2020503092.tif 000002
【特許請求の範囲】
【請求項１】
液体（１０５）のコンテナー（１１０）の口（１２５）を閉じるためのクロージャ（１３５）であって、
前記クロージャ（１３５）は、
前記コンテナー（１１０）にキャップ（２０５）を固定するための固定手段（３１８）、前記キャップ（２０５）は、固定された状態で前記コンテナー（１１０）の縦軸（２０３）の周りで回転可能であり、前記クロージャ（１３５）は、前記コンテナー（１１０）に固定される、前記コンテナー（１１０）から前記液体（１０５）を送達するための送達口（３３６）、前記液体（１０５）の送達中に前記コンテナー（１１０）の中に空気を吸引するためのキャップ吸引導管（３４５）、および、前記液体（１０５）の送達デバイス（８０５）を接続するためのコネクター（３４２）、前記コネクター（３４２）は、前記送達口（３３６）と流体連通している、を有するキャップ（２０５）、
前記コンテナー（１１０）に対してカーソル（２０５）をねじ込むためのネジ山（４０６）、閉位置でのバルブ部材（４２４）、ここで前記バルブ部材（２１５）は前記送達口（３３６）を閉じる、および、前記キャップ吸引導管（３４５）とスライド可能に連結されたカーソル吸引導管（４３３）、を有するカーソル（２１０）、
前記キャップ吸引導管（３４５）または前記カーソル吸引導管（４３３）を閉じる、壊れやすいエレメント（３５１）、および、
前記キャップ（２０５）によって前記カーソル（２１０）をドラッグして回転させるためのドラッグ手段（３２７、４０９）、ここで前記クロージャ（１３５）は、前記キャップ（２０５）の少なくとも１回転に応答して前記キャップ（２０５）に対して前記カーソル（２１０）をスライドさせて、それにより、前記カーソル吸引導管（４３３）を動かして前記の壊れやすいエレメント（３５１）を破壊して前記カーソル吸引導管（４３３）を前記キャップ吸引導管（３４５）と流体連通して配置して前記バルブ部材（４２４）を開位置に動かすように構成され、ここで前記バルブ部材（２１５）は、前記送達口（３３６）を開ける、
を備える、
クロージャ（１３５）。
【請求項２】
請求項１に記載のクロージャ（１３５）であって、
前記クロージャ（１３５）は、前記キャップ（２０５）のさらなる回転に応答して、前記キャップ（２０５）に対して前記カーソル（２１０）をスライドさせて、それにより、前記バルブ部材（４２４）をさらに閉位置に動かすように構成されて、ここで前記バルブ部材（２１５）は、前記送達口（３３６）を閉じる、
クロージャ（１３５）。
【請求項３】
請求項１または２に記載のクロージャ（１３５）であって、
前記クロージャ（１３５）は、前記キャップ（２０５）の前記の少なくとも１回転の第一の方向での第一の回転に応答して、固定された状態で前記コンテナー（１１０）の外側に向かって前記カーソル（２１０）をスライドさせて、それにより、前記カーソル吸引導管（４３３）を動かして前記の壊れやすいエレメント（３５１）を破壊するように、および、前記のキャップ（２０５）の前記の少なくとも１回転の前記の第一の方向と反対の第二の方向での第二の回転に応答して、固定された状態で前記コンテナー（１１０）の内側に向かって前記カーソル（２１０）をスライドさせて、それにより、前記バルブ部材（４２４）を前記開位置に動かすように構成される、
クロージャ（１３５）。
【請求項４】
請求項３に記載のクロージャ（１３５）であって、
前記の第一の回転は、前記の第二の回転よりも短い、
クロージャ（１３５）。
【請求項５】
請求項１から４のいずれかに記載のクロージャ（１３５）であって、
前記クロージャ（１３５）は、前記コンテナー（１１０）の中に圧入するための、前記カーソル（２１０）の前記ネジ山（４０６）に一致する内部ネジ山（４５４）を有するインサート（２１５）を備え、前記カーソル（２１０）の前記ネジ山（４０６）は、前記内部ネジ山（４５４）にねじ込まれる雄ネジ（４０６）である、
クロージャ（１３５）。
【請求項６】
請求項５に記載のクロージャ（１３５）であって、
前記インサート（２１５）は、前記内部ネジ山（４５４）を有する第一の材料の内側部分（４４８）および前記口（１２５）をシールするためのガスケットを実行する第二の材料の外側部分（４３６）を備える、
クロージャ（１３５）。
【請求項７】
請求項６に記載のクロージャ（１３５）であって、
前記インサート（２１５）の前記外側部分（４３６）は、前記コンテナー（１１０）の中に圧入するための中空の円筒状の本体（４３９）および固定された状態で前記コンテナー（１１０）の外側に留まるためのフランジ（４４２）を備え、前記フランジ（４４２）は、前記キャップ（２０５）との接触表面を減らすための突起構造（４４５）を有する、
クロージャ（１３５）。
【請求項８】
請求項１から７のいずれかに記載のクロージャ（１３５）であって、
前記固定手段（３１８）は、前記キャップ（２０５）を前記コンテナー（１１０）に取り外せない方法で固定するためのものであり、ここで前記クロージャ（１３５）は、取り外せない方法で前記キャップ（２０５）に固定されたカバー（２３０）、前記カバー（２３０）は、固定された状態で前記固定手段（３１８）へのアクセスを防止する、および、前記カバー（２３０）によって前記キャップ（２０５）をドラッグして回転させるためのさらなるドラッグ手段（３２４、５３５）を備える、
クロージャ（１３５）。
【請求項９】
請求項８に記載のクロージャ（１３５）であって、
前記クロージャ（１３５）は、前記キャップ吸引導管（３４５）を通して吸引される空気を濾過するためのフィルター（２２０）を備え、前記フィルター（２２０）は、前記キャップ（２０５）と前記クロージャ（２３０）との間に固定される、
クロージャ（１３５）。
【請求項１０】
請求項１から９のいずれかに記載のクロージャ（１３５）であって、
前記カーソル吸引導管（４３３）は、前記キャップ吸引導管（３４５）と反対のその末端に吸引口（４３４）を有し、前記吸引口（４３４）および前記送達口（３３６）は、前記バルブ部材（４２４）が前記開位置にある場合に、前記クロージャ（１３５）の前記縦軸（２０３）に沿って空間があいている、
クロージャ（１３５）。
【請求項１１】
請求項１から１０のいずれかに記載のクロージャ（１３５）であって、
前記バルブ部材（４２４）は、１つまたは複数の側部窓（４３０）を有する中空タレット（４２７）を備える、
クロージャ（１３５）。
【請求項１２】
請求項１から１１のいずれかに記載のクロージャ（１３５）であって、
前記クロージャ（１３５）は、前記バルブ部材（４２４）が前記開位置にある場合に、前記カーソル（２１０）が前記キャップ（２０５）を離すのを防ぐためのストップ手段（３３３、４１８）を備える、
クロージャ（１３５）。
【請求項１３】
請求項１から１２のいずれかに記載のクロージャ（１３５）であって、
前記カーソル吸引導管（４３３）は、前記の壊れやすいエレメント（３５１）の破壊を促進するために前記キャップ吸引導管（３４５）に向いた尖った先端（４３５）で終わる、
クロージャ（１３５）。
【請求項１４】
請求項１から１３のいずれかに記載のクロージャ（１３５）であって、
前記クロージャ（１３５）は、前記コネクター（３４２）および前記キャップ吸引導管（３４５）を露出させる貫通穴（５１５）を有し、前記クロージャ（１３５）は、前記貫通穴（５１５）を閉じる圧入蓋（２３５）および前記蓋（２３５）によって閉じられている前記貫通穴（５１５）をシールする剥離可能な保護フィルム（２４０）を備える、
クロージャ（１３５）。
【請求項１５】
液体（１０５）を含むコンテナー（１１０）およびその口（１２５）を閉じるために前記コンテナー（１１０）に固定された請求項１から１４のいずれかに記載のクロージャ（１３５）を備える、
製品（１００）。
【発明の詳細な説明】
【技術分野】
【０００１】
本開示は、液体のためのコンテナーの分野に関する。より特に、本開示は、これらのコンテナーのためのクロージャに関する。
【背景技術】
【０００２】
本開示の背景が、そのコンテキストに関する技術の議論と共に以下に紹介される。しかしながら、この議論が、文献、行為、アーチファクトなどに言及する場合であっても、議論された技術が従来技術の一部であることまたは本開示に関連のある分野における共通する一般知識であることを示唆せず、または示さない。
【０００３】
不浸透性材料（例えばガラス）のコンテナーは、多くの適用において液体を保管するために一般に用いられる。特に、医療用途では、コンテナーは、患者に投与される医療液体を保管して；例えば、病院環境においては、これらのコンテナーは、（例えば、そのスキャン検査中に自動注入システムによって）患者へ注入される造影剤を保管するための通常のものである。
【０００４】
ほとんどのコンテナーは、液体をローディングおよび送達するための口（すなわち開口部）を有し；典型的な例は、ボトル、すなわち、口で終わっている首を有する、より大きな本体を有する剛性コンテナーである。このタイプのそれぞれのコンテナーは、クロージャを備え、それはコンテナーを閉じて、液体が失われるのを防ぎ、（その使用前に）液体を環境汚染から保護する。
【０００５】
広範なタイプのクロージャは、コンテナーの口をシールするメンブレンに基づく。この場合において、スパイク（例えば、ニードル）が一般的に用いられて、それを通してコンテナーから液体を抽出するためにメンブレンに穴をあける（液体の投与後にスパイクが取り除かれた場合でさえも、コンテナーは実質的に閉じたままである）。しかしながら、スパイクとの任意の偶然の接触はそれを汚染させ得て、そしてそれからスパイクがコンテナー内に挿入されると液体を汚染させ得て、患者の最終的なあり得る汚染が結果として生じる。さらに、スパイクはかなり有害であり、対応する操作者に負傷を引き起こし得て、疾患を伝染させる危険もある。
【０００６】
あるいは、クロージャは、内部スパイクを備えてもよい（外側からはアクセスできない）。この場合、（例えば、ルアーロックフィッティングをねじ込むことによって）送達デバイスがクロージャと連結されると、送達デバイスはスパイクを押して、以前の技術と同様にメンブレンに穴をあける。
【０００７】
いずれの場合においても、スパイク（クロージャの内側または外側のいずれか）によるメンブレンの穴あけは、メンブレンの粒子の脱離およびコンテナー内でのそれらの落下を引き起こし得て、コンテナー内に保管された液体の汚染の危険がある。
【０００８】
液体を送達するためにいかなるスパイクも必要としないクロージャ（すなわち、スパイクレスタイプ）も提案されている。例えば、このタイプのクロージャは、液体の送達口を閉じるバルブ部材を備えてよい。送達デバイスがコンテナーのクロージャと連結されると、送達デバイスは、コンテナーの内側に向かってバルブ部材を押して、それにより送達口を開けて、液体がコンテナーから送達デバイスに流れるのを可能にする。クロージャの送達口は、壊れやすいエレメントによって密封されてもよく、それは、送達口を開けるときにバルブ部材によって破壊される。
【０００９】
さらに、クロージャは、バルブ部材と関連する弾性エレメントを備えてよい。この技術によれば、送達デバイスはバルブ部材を押して、弾性エレメントの反対側に送達口を開いて；それにより、送達デバイスが取り外されたときに（液体の投与後）、弾性エレメントは、送達口を再度閉じるようにバルブ部材を元に動かす。
【００１０】
加えて、ＷＯ−Ａ−９８／３４５８２において述べられるように、クロージャは、液体が送達されるときに空気がコンテナー内に流れるのを可能にするための空気放出バルブを有してよい。ＵＳ−Ａ−２０１１／０１６８２９２に記載されるように、クロージャは、１つまたは複数の空気放出開口部、または通気孔を有してもよく、それはアンブレラバルブを備えて、長いチューブおよび短いチューブを有し、または自己シールバルブを有し；空気放出開口部は、マイクロホールカバーによって密封されて、それは半透膜であり、空気が出入りするのを可能にするが、液体の通過を許さない。
【発明の概要】
【発明が解決しようとする課題】
【００１１】
しかしながら、当技術分野で知られているクロージャはいずれも、いくつかの観点で完全には満足されるものではない。例えば、クロージャの構造、組み立て、使用および安全性に関する改善が望ましい。
【課題を解決するための手段】
【００１２】
本開示の簡略化された要約が、その基礎的な理解を提供するために本明細書中に提供されるが、この要約の唯一の目的は、その以下のより詳細な説明に対する前置きとして簡略された形態で本開示の一部の概念を紹介することであり、その重要なエレメントの特定としてもその範囲の叙述としても解釈されるべきでない。
【００１３】
一般論として、本開示は、液体をコンテナーから送達するための送達口を閉じるバルブ部材および空気をコンテナー内に吸引するための吸引導管を閉じる壊れやすいエレメントを提供するアイディアに基づく。
【００１４】
特に、一態様は、液体を送達するための送達口を閉じるバルブ部材および空気をコンテナー内に吸引するための吸引導管を閉じる壊れやすいエレメントを備えるクロージャ（液体のコンテナーの口を閉じるためのもの）を提供して、ここで、クロージャは回転可能であって、カーソル（ｃｕｒｓｏｒ）を（少なくとも１回転に応答して）スライドさせて、それにより、カーソルの吸引導管を動かして壊れやすいエレメントを破壊して、カーソルのバルブ部材を動かして送達口を開ける。
【００１５】
さらなる態様は、このクロージャを備える製品を提供する。
【００１６】
さらなる態様は、クロージャを組み立てる方法を提供する。
【００１７】
さらなる態様は、製品を製造する方法を提供する。
【００１８】
さらなる態様は、製品を用いる方法を提供する。
【００１９】
より具体的には、本開示の１つまたは複数の態様は独立項に示されて、その有利な特徴は従属項に示されて、本明細書における全ての請求項の文言は参照により言葉どおりに援用される（任意の特定の態様に関して提供される任意の有利な特徴は、必要な変更を加えて全ての他の態様に当てはまる）。
【００２０】
本開示の解決策、ならびに、そのさらなる特徴および利点は、純粋に非限定の指示によって与えられる以下のその詳細な説明を参照して最もよく理解されて、付随する図面と共に読まれる（ここで、単純化のために、対応するエレメントは同等または同様の参照によって示されて、それらの説明は繰り返されず、それぞれの物質の名称は一般に、そのタイプおよびその属性の両方−例えば、値、内容および表現を示すために用いられる）。この点において、図面は、必ずしも縮尺どおりに描かれる必要はなく（一部の細部が誇張および／または単純化されてよい）、別段の指示がない限り、本明細書において概念的に記載される構造および手順を単に説明するために用いられることが明確に意図される。特に：
【図面の簡単な説明】
【００２１】
【図１】医療製品の概略拡大図を示し、本開示の実施態様に係る解決策が適用される。
【図２】本開示の実施態様に係るクロージャの概略分解立体図を示す。
【図３−５】本開示の実施態様に係るクロージャの一部のコンポーネントの概略分解立体図を示す。
【図６Ａ−６Ｅ】本開示の実施態様に係るクロージャを組み立てるための方法の主なステップを示す。
【図７】本開示の実施態様に係る医療製品を製造するための方法の主なステップを示す。
【図８Ａ−８Ｇ】本開示の実施態様に係る医療製品を使用するための方法の主なステップを示す。
【発明を実施するための形態】
【００２２】
特に図１を参照して、医療製品１００の概略分解立体図が示されて、本開示の実施態様に係る解決策が適用されてよい。
【００２３】
医療製品１００は、医療用途（例えば病院）での使用のためのアーチファクトである。医療製品１００は、患者に投与される医療液体１０５、例えば、患者のスキャン検査（例えば、ＣＴ、ＭＲまたは超音波イメージング手順）中に（自動）注入システムによって患者に注入される造影剤（例えば、Ｂｒａｃｃｏ  Ｄｉａｇｎｏｓｔｉｃｓ  Ｉｎｃ．によるＩＳＯＶＵＥ、商標）を含む。医療製品１００は、医療液体１０５を保管するコンテナー１１０（例えば、ボトル）を備える（５０〜５００ｍｌの容量）。コンテナー１１０は、医療液体１０５を含むために不浸透性材料で作られて（例えば、ガラス）、それは実質的に剛性である（すなわち、使用の正常な状態でその形状を維持する）。コンテナー１１０は、メイン本体１１５（例えば、一般的な円筒状の形状）を有し、（少なくとも部分的に）医療液体１０５で満たされる。その一方の軸先端において、メイン本体１１５は首１２０へ狭まって（円形の）口１２５で終わり、それは、医療液体１０５をコンテナー１１０中へローディングするため、および、医療液体１０５をそこから送達するために用いられる。口１２５は、（外に返された）リム１３０によって囲まれている。
【００２４】
以下に詳細に説明されるように、医療製品１００は、（例えば、プラスチック材料の）クロージャ１３５を備える。クロージャ１３５は、その口１２５を閉じるためにコンテナー１１０に固定されて（医療液体１０５が失われるのを防ぐため、および、使用前にそれを環境汚染から保護するため）；同時に、クロージャ１３５は、医療液体１０５を、例えば、注入システムのトランスファーセットのような（スパイクレス）送達デバイス（図示せず）に送達するのを可能にする。
【００２５】
ここで図２を参照して、本開示の実施態様に係るクロージャ１３５の概略分解立体図が示される。
【００２６】
クロージャ１３５は、以下のコンポーネントを備える（クロージャ１３５の縦軸２０３に沿って分解して示される）。キャップ２０５は、クロージャ１３５をコンテナーに、その口を閉じるために固定するために用いられる（図示せず）。カーソル２１０は、医療液体の送達を制御するように、および、医療液体がコンテナーの外に送達されたときにコンテナー内への空気の吸引を可能にするように、キャップ２０５に対して作用するために用いられる。インサート２１５は、カーソル２１０をねじ込むため、および、コンテナーとインサート２１５の連結をシールするために用いられる（医療液体のいかなる漏出も防ぐため）。
【００２７】
本開示の実施態様に係る解決策では、以下に詳細に説明されるように、キャップ２０５は、コンテナー１１０の縦軸２０３の周りで回転され得る。キャップ２０５は、回転においてそれをドラッグするようにカーソル２１０と連結される。カーソル２１０は、回転するときにコンテナーに対してスライドするように構成される。結果として、キャップ２０５の第一の回転に応答して、カーソル２１０の吸引導管は、（医療液体がコンテナーの外に送達されるときに）外的環境からコンテナー内への空気の吸引を可能にするように、キャップ２０５の壊れやすいエレメント（図示せず）を破壊する。さらに、キャップの第二の回転（または上記の同一の第一の回転）に応答して、カーソル２１０のバルブ部材は、医療液体の送達を可能にするように、キャップ２０５の送達口（図示せず）を開ける。
【００２８】
上述の解決策は、いくつかの観点で非常に効果的である。
【００２９】
特に、クロージャは、スパイクの存在と典型的に相関する負傷および汚染の任意の危険を避けるスパイクレス構造を有する。さらに、コンテナー内への空気の吸引は、医療液体の流れを著しく改善する。
【００３０】
特に、この結果は、バルブ部材（医療液体のため）および壊れやすいエレメント（空気のため）を利用することによって達成される。したがって、バルブ部材は、非常に製造しやすい構造によって医療液体の送達を制御することを可能にして；同時に、壊れやすいエレメントは、非常に単純かつ制限された寸法の構造によって、使用前にコンテナーを閉じたままに維持するのを可能にする（空気の吸引を防止する）。
【００３１】
本開示のクロージャは、その適切な操作のために必要な全てのコンポーネントを既に備えている。このことは、それを備える医療製品がすぐに用いられて、ならびに、非常に安全であり、操作者が管理および作業しやすいことを意味する（例えば、コンテナーの内側にアクセスするためにいかなる追加のニードルも必要でない）。
【００３２】
上記を考慮して、このクロージャを備える医療製品の使用は、非常に簡単である。特に、壊れやすいエレメントを破壊すること、および送達口を開けることは、手によって、単にそれを回転して、クロージャに対して外側から作用することによって達成される。
【００３３】
さらに、フィルター２２０は、コンテナー内に吸引される空気を濾過するために用いられる。ホルダー２２５は、フィルター２２０を保持するために用いられる。カバー２３０は、クロージャ１３５の上述のコンポーネント２０５〜２２５をカバーするために用いられる（コンテナーに対するキャップ２０５の固定へのアクセスを防ぐため、コンポーネント２０５〜２２５を外的環境から保護するため、および、クロージャ１３５に対して作用する操作者に握りやすさを提供して、同時に、彼／彼女たちによって通常は使い古されるグローブの破損を防止するため）。蓋２３５は、カバー２３０の開口部を閉じるために用いられる（使用前に、それを通して露出されるコンポーネントを保護するため）。保護フィルム２４０は、カバー２３０のシールを完全にするために用いられる（汚染を防ぐため、および、使用前に医療製品１００の完全性を確実にするため）。
【００３４】
ここで図３〜図５を参照して、本開示の実施態様に係るクロージャの一部のコンポーネントの概略分解立体図が示される。
【００３５】
まず図３については、キャップ２０５（部分的に切断された図で示される）は、一般的な中空の円筒状の形状（コンテナーの首に一致する、図示せず）を有する本体（例えば、注入成形によって、ポリプロピレンホモポリマー、ＰＰＨから作られる）であり、ディスク３０６によって上部で閉じられた側壁３０３（固定された状態でコンテナーの外側に向いていて、ここでクロージャは、コンテナーに固定される）によって定義される（一方で、その反対の末端、すなわち底では開口している）。ディスク３０６は、ホルダー２２５の一部を収容するための中央の陥没３０９を有し（深さは側壁３０３の高さよりも低い）；陥没３０９は、側壁３１２および底壁３１５によって範囲が定められる。１つまたは複数（例えば、４〜８個）の歯３１８は、側壁３０３から内側に突き出ていて（コンテナーに対して固定するために、わずかにそのフリーの境界の内側である）；歯３１８は、キャップ２０５の内側に向かって（すなわち、ディスク３０６に向かって）斜めに伸長する。リム３２１は、側壁３０３から外側に、カバーを固定するためのそのフリーの境界の近くへ突き出ている（図示せず）。複数（例えば、５〜１０個）のリブ３２４は、カバーを回転的に干渉するために、側壁３０３から、長軸方向にそれに沿って外側に突き出る。複数の（さらなる）リブ３２７（例えば、４〜８個）は、カーソルを回転的に干渉するために、側壁３１２から、長軸方向にそれ沿って外側に突き出る（図示せず）。１つまたは複数（例えば、２〜４個）のタブ３３０は、カーソルを軸方向に止めるために、底壁３１５から下方（固定された状態で内側）に突き出て（わずかにその境界の内側）；タブ３３０は、カーソルの対応する歯と係合するために、放射状に外側に突き出ている対応する歯３３３で終わる。
【００３６】
送達口３３６は、コンテナーから医療液体を送達するために底壁３１５の中央で開いて；送達口３３６は、医療液体の所望の流速に対応するサイズを有し（例えば、１０〜４０ｍｍ２の横断面を有する）。送達導管３３９は、送達口３３６から上方に（固定された状態で外側に）伸長して；送達導管３３９は、陥没３０９の深さよりも高いので、送達導管３３９の一部は、ディスク３０６の上に（固定された状態で外側に）突き出る。送達導管３３９の軸上のフリー末端（ディスク３０６の上に突き出ている）は、コンテナーから医療流体を送達するために接続される送達デバイスと合うためのコネクター３４２として構成される（図に示されない）。例えば、コネクター３４２は、送達デバイスの雄ルアーロックフィッティングと係合するための雄ネジを有するタブ付きハブを備える雌ルアーロックフィッティングである。
【００３７】
第一の吸引導管は、キャップ吸引導管３４５と呼ばれて、医療液体の送達中にコンテナー内へ外的環境から空気を吸引するために、底壁３１５の周囲から下方へ（固定された状態で内側に）伸長する（例えば、側壁３０３のフリーの境界に到達しない）。結果として、キャップ吸引導管３４５の軸上のフリー末端３４８（底壁３１５から遠位）は、キャップ吸引導管３４５の長さ（例えば、４〜１２ｍｍ、好ましくは５〜１０ｍｍ、さらにより好ましくは６〜８ｍｍ、例えば７ｍｍ）、送達口３３６から長軸方向に空間があいているので、固定された状態では、このフリー末端３４８は、送達口３３６よりも、コンテナー内の深くに（したがって、コンテナーの口から遠く離れて）配置される。キャップ吸引導管３４５のサイズは、送達口３３６を通って送達される医療液体の所望の流速を得るために設計される。
【００３８】
壊れやすいエレメント３５１（すなわち、変形の代わりに、相対的に簡単に破壊され得るエレメント）は、キャップ吸引導管３４５を閉じる。例えば、壊れやすいエレメント３５１は、その境界を通してキャップ吸引導管３４５の内壁に、事前に決められたその高さ（例えば、中間）で取り付けられたメンブレンである。好ましくは、メンブレンは、その円周の実質的な部分に沿って伸長するプレカットラインを有し、コンテナーの内側に（したがって医療液体内に）パーツを失わずに、および、キャップ吸引導管３４５の内壁から脱離せずに、その切断を促進する。
【００３９】
ホルダー２２５は、一般的な円筒状の形状を有する、（例えば、ポリプロピレン、ＰＰ、またはアクリロニトリル・ブタジエン・スチレン、ＡＢＳから作られる）本体である。ホルダー２２５は、フィルター２２０を保持するための中空トレイ３５４を備える。中空トレイ３５４は、（外側に）盛り上がったエッジ３６０を有する（平らな）リング３５７によって形成されて；リング３５７は、陥没３０９の内径よりも大きな外径を有し、盛り上がったエッジ３６０は、フィルター２２０の厚さよりも大きな高さを有する。リング３５７は、（中央の）貫通穴３６３を有する。１つまたは複数（例えば、２〜８個）の窓３６６は、フィルター２２０を露出させるために、リング３５７において貫通穴３６３の周りに提供される。窓３６６は、キャップ吸引導管３４５の横断面よりも大きい。中空タレット３６９（例えば、２つの同心円状の円筒状の壁によって形成される）は、その貫通穴３６３の周りで、リング３５７から下方へ（固定された状態で内側に）伸長する。中空タレット３６９は、キャップ２０５の送達導管３３９の外径に合う内径およびキャップ２０５の陥没３０９の内径に合う外径を有する。
【００４０】
フィルター２２０は、中央の貫通穴３７５を有するリング３７２としての形状をした抗菌膜を備える。フィルター２２０のリング３７２は、ホルダー２２５のリング３５７と合う（すなわち、リング３７２は、盛り上がったエッジ３６０の内径に合う外径を有し、フィルター２２０の貫通穴３７５は、ホルダー２２５の貫通穴３６３に合う）。
【００４１】
図４に移り、カーソル２１０は、一般的な中空の円筒状の形状を有する、（例えば、注入成形によって、環状オレフィン共重合体、ＣＯＣ、環状オレフィン共重合体、ＣＯＰ、またはプロピレンカーボネート、ＰＣで作られる）本体である。特に、カーソル２１０は、医療液体の通路のために、コンテナー（図示されない）の内側に（固定された状態で内側に）向いて、その軸上の末端から伸長している１つまたは複数（例えば、２〜４個）のサドル４０４を有する側壁４０３を備える。側壁４０３は、インサート２１５の中にねじ込むための（外側）ネジ山４０６を有し；ネジ山４０６は、上方に（固定された状態で外側に）向いているその別の軸上の末端から、その中間へ、カーソル２１０の一部の周りで長軸方向に伸長する。複数の溝４０９は、キャップ２０５のリブ３２７と係合するために、長軸方向に側壁４０３の内側にそれに沿って形成される。隔壁４１２は、側壁４０３の内側でその中間において横向きに伸長する。カーソル２１０の対応する拡大された部分においてより良好に見ることができるように、キャップ２０５のタブ３３０と対応する１つまたは複数のタブ４１５は、隔壁４１２から上方に（固定された状態で外側に）突き出て；タブ４１５は、キャップ２０５の歯３３３と係合するために、放射状に内側に突き出ている対応する歯４１８で終わる。１つまたは複数の窓４２１は、隔壁４１２内（わずかにタブ４１５の内側）、例えば、サドル４０４の前に、医療液体およびキャップ２０５のタブ３３０の通路のために提供される。
【００４２】
カーソル２１０は、キャップ２０５の送達口３３６を開ける／閉じるためのバルブ部材４２４を備える。バルブ部材４２４は、隔壁４１２の中央から上方に（固定された状態で外側に）伸長するタレット４２７で形成される。タレット４２７は、内側が、すなわち、隔壁４１２の下から（固定された状態で内側に）中空であり；１つまたは複数の側部窓４３０（例えば、２〜４個）は、医療液体の通路のためにタレット４２７内に提供される。第二の吸引導管は、カーソル吸引導管４３３と呼ばれ、隔壁４１２から上方に（固定された状態で外側に）伸長する（すなわち、カーソル吸引導管４３３は、バルブ部材４２４と側壁４０３との間に含まれる領域に由来する）。カーソル吸引導管４３３の外径は、中にスライドするためにキャップ吸引導管３４５の内径と幅が合う（一方で、カーソル吸引導管４３３は、キャップ吸引導管３４５よりもわずかに短い）。隔壁４１２においてカーソル吸引導管４３３によって形成される対応する開口部は、医療液体の送達中にコンテナー内に外的環境から空気を吸引するための吸引口４３４を規定する。カーソル吸引導管４３３の軸上のフリー（上側）末端（隔壁４１２から遠位）は、壊れやすいエレメント３５１に対して作用するための尖った先端４３５を規定するように傾斜している
。
【００４３】
一般に、送達口３３６および吸引口４３４は、（それらの用途に加えて）構造的に異なる。特に、吸引口４３４は、送達口３３６よりも横断面積が小さい（例えば、吸引口４３４の横断面積は、送達口３３６の横断面積の約２５〜７５％である）。送達口３３６は、コネクター３４２と流体連通しているが、一方で、コネクターは一般に、吸引口４３４に必要ではない。さらに、吸引口４３４は、フィルターと連結されるが（図示せず）、一方で、フィルターは一般に、送達口３３６に必要ではない。
【００４４】
インサート２１５は、一般的な中空の円筒状の形状をした本体であり、好ましくは、オーバーモールドによって２つの異なる材料から作られる。
【００４５】
特に、インサート２１５は、ガスケットとして作用する外側部分４３６を備える。外側部分４３６は、弾性材料（例えば、ポリプロピレンホモポリマー、ＰＰＨ）で作られる。外側部分４３６は、（中空の）弾性円筒４３９を備え；弾性円筒４３９の外径は、中に圧入するためにコンテナーの口（図示せず）の内径よりもわずかに大きい。弾性フランジ４４２は、弾性円筒４３９の軸上の上側末端（固定された状態で外側）から外側に伸長して；弾性フランジ４４２は、それをシールするためにコンテナーの口のエッジに合う幅を有するＯ−リングを規定する。１つまたは複数のバルジングリング４４５は、弾性フランジ４４２の外部境界のわずかに内側で、上方に（固定された状態で外側に）突き出て；バルジングリング４４５は、キャップ２０５との接触表面を減らすために、弾性フランジ４４２よりも著しく薄い（例えば、それぞれのバルジングリング４４５の幅は、弾性フランジ４４２の幅の１〜２０％、好ましくは２〜１５％、さらにより好ましくは３〜１０％、例えば５％と等しい）。
【００４６】
さらに、インサート２１５は、ブッシュ（ｂｕｓｈ）として作用する内側部分４４８を備える。内側部分４４８は、より剛性の材料（例えば、スチレンエチレンブチレンスチレン共重合体、ＳＥＢＳ）で作られる。内側部分４４８は、中空の円筒４５１を備え；中空の円筒４５１の内径は、カーソル２１０の外径と合う。中空の円筒４４８は、そのねじ込みのためにカーソル２１０の雄ネジ４０６と合う（内側）ネジ山４５４を備え；ネジ山４５４は、中空の円筒４４８の全長に沿って長軸方向に伸長する。
【００４７】
図５に移り、カバー２３０（部分的に切断された図で示される）は、一般的な中空の円筒状の形状を有する（例えば、ポリプロピレン、ＰＰで作られる）本体であり（キャップ２０５に合う）、ディスク５１０によって上部（固定された状態で外側）で閉じられる側壁５０５によって規定される（一方でそれは、その反対の末端で、すなわち底では開いている）。ディスク５１０は、中央の貫通穴５１５を有し；貫通穴５１５は、キャップ２０５の陥没３０９の直径と合う直径を有する。座ぐり５２０は、蓋２３５に合う貫通穴５１５の周りに形成される。１つまたは複数のアクセスディップ５２５は、蓋２３５を引っ張るために、座ぐり５２０から始まってディスク５１０の外側に提供される。１つまたは複数（例えば、４〜８個）の歯５３０を有するリングは、キャップ２０５のリム３２１と干渉するために、そのフリーの境界のわずかに内側に、側壁５０５から内側に突き出て；歯５３０は、カバー２３０の内側に向かって、斜めに伸長する。複数のリブ５３５は、キャップ２０５のリブ３２４と（例えば、カバー２３０の２〜４個のリブ５３５ごとに、キャップ２０５の１つのリブ３２４と）係合するために、側壁５０５から、長軸方向にそれに沿って内側に突き出る。カバー２３０の対応する拡大された部分により良好に見ることができるように、クラウン５４０は、貫通穴５１５の境界から下方に（操作で内側に）伸長して、別のクラウン５４１は、クラウン５４０の周りのディスク５１０から下方に伸長して；クラウン５４１は、キャップ２０５のディスク３０６の外側に突き出ている送達導管３３９の部分に対応する高さを有し、一方で、クラウン５４０は、それよりもわずかに短い高さを有する。
【００４８】
蓋２３５（例えば、ポリプロピレン、ＰＰ、または熱可塑性エラストマーから作られる）は、座ぐり５２０と幅および高さが合うディスク５５０を備える。クラウン５５５は、ディスク５５０の境界のわずかに内側で始まって下方（固定された状態で内側）に伸長する。クラウン５５５は、クラウン５４０よりも著しく短く；クラウン５５５は、クラウン５４０の内径と合う外径を有する。（中空の）タレット５６０は、ディスク５５０の中央から下方（固定された状態で内側）に伸長して；タレット５６０は、クラウン５５５の高さと等しい（またはわずかにそれよりも低い）高さおよびキャップ２０５の送達導管３３９の内径に合う外径を有する。
【００４９】
保護フィルム２４０（例えば、アルミニウムから作られる）は、円形本体５６５（貫通穴５１５よりもわずかに大きい）を備え、そこから横に突き出ているハンドリングタブ５７０を有する。
【００５０】
ここで図６Ａ〜６Ｅを参照して、本開示の実施態様に係るクロージャを組み立てるための方法の主なステップが示される。
【００５１】
まず図６Ａについては、カーソル２１０は、カーソル２１０のネジ山４０６をインサート２１５のネジ山４５４の上に（例えば、矢印によって示されるように時計回りに）ねじ込むことによって、インサート２１５の内側に（矢印によって示されるように下から）マウントされる。カーソル２１０は、その適切な方位を確保する程度にねじ込まれるが（以下に説明される）、反対側でインサート２１５からカーソル２１０は出てこない（図の上方）。
【００５２】
図６Ｂに移り、そのようにして得られたアセンブリ２１０〜２１５は、インサート２１５を前に向けて（上方に）、側壁３０３内で（矢印によって示されるように下から）それを押すことによって、キャップ２０５の中にスナップフィットされる。アセンブリ２１０〜２１５およびキャップ２０５は、カーソル吸引導管４３３がキャップ吸引導管３４５と並ぶように事前に配向されて；結果として、キャップ２０５およびカーソル２１０の対応する拡大された部分により良好に見ることができるように、カーソル２１０の溝４０９は、キャップ２０５の対応するリブ３２７と並び；同時に、カーソル２１０のタブ４１５は、キャップ２０５のタブ３３０と並ぶ。
【００５３】
異なる平面に沿って２つの横断面図で示されるように、この操作中に、カーソル２１０の歯４１８がキャップ２０５の歯３３３に到達する場合は、それらのフロント・リード−イン面（ｆｒｏｎｔ  ｌｅａｄ−ｉｎ  ｆａｃｅ）の干渉は、対応するタブ４１５およびタブ３３０を弾性的に生じさせて（空間があいている）、それにより、それらの通過を可能にする（歯４１８および歯３３３は、それから、それらが離れたら（ｃｌｅａｒ）すぐに、それらのオリジナルの位置へ弾性的に戻る）。同時に、カーソル２１０のバルブ部材４２４は、キャップ２０５の送達導管３３９中へ（その送達口３３６を通って）入る。結果として、バルブ部材４２４は、閉位置にされる。特に、バルブ部材４２４は、それをシールするように、（それらの干渉のおかげで）送達導管３３９中へ圧入される。さらに、カーソル吸引導管４３３がキャップ吸引導管３４５中に入るが、カーソル吸引導管４３３の尖った先端４３５が壊れやすいエレメント３５１に届かない（したがって破壊しない）程度である。
【００５４】
図６Ｃに移り、上述の操作の前、同時、または後に、フィルター２２０は、トレイ３５４の中に、フィルター２２０がリング３５７に寄りかかるまでそれを（上から）押すことによってホルダー２２５の中に固定されて、加熱密封または接着される。このようにして、フィルター２２０の対応する部分は、ホルダー２２５の窓３６６を通して露出される。
【００５５】
ホルダー２２５（フィルター２２０を有する）は、その中空タレット３６９を前に向けて（下方に）、キャップ２０５（カーソル２１０およびインサート２１５が既に備えられている）の中に、それを陥没３０９の中に（矢印によって示されるように上から）押すことによってマウントされる。ホルダー２２５は、リング３５７がキャップ２０５のディスク３０６に寄りかかるまで押される。結果として、ホルダー２２５の中空タレット３６９は、陥没３０９中に圧入される。
【００５６】
図６Ｄに移り、キャップ２０５（上述のコンポーネントが既に備えられている）は、コネクター３４２を前に向けて（上方に）、側壁５０５内でそれを（矢印によって示されるように下から）押すことによって、カバー２３０の中にスナップフィットされる。キャップ２０５およびカバー２３０の対応する拡大された部分においてより良好に見ることができるように、それらは、対応するリブ３２４および５３５が千鳥状になるように事前に配向される。この操作中に、カバー２３０の歯５３０がキャップ２０５のリム３２１によって到達された場合は、カバー２３０の内側に向かう歯５３０の方位は、それらの弾力性を生じさせて、それにより、リム３２１の通過およびキャップ２０５上へのカバー２３０の最終係合を可能にする（歯５３０は、それから、それらのオリジナルの位置へ弾性的に戻る）。キャップ２０５は、ホルダー２２５のリング３５７およびキャップ２０５のディスク３０６がカバー２３０のクラウン５４０およびクラウン５４１にそれぞれ寄りかかるまで押されて、それにより、送達導管３３９が貫通穴５１５の中へ突き出ている（ディスク５１０のレベルのわずかに下）。結果として、カバー２３０は、ホルダー２２５（その結果、フィルター２２０）を、所定の位置に確実に保持する。さらに、リム３２１と歯５３０のインターロックは、カバー２３０およびキャップ２０５を一緒に固定して；歯５３０は、クロージャがコンテナー（図示せず）上にマウントされた場合にカバー２３０の外側からアクセスされないので、固定は不可逆的である（すなわち、破壊せずにカバー２３０をキャップ２０５から取り外すことは不可能または少なくとも非常に難しい）。同時に、カバー２３０およびキャップ２０５のいかなる相対的な回転も防ぐように、リブ３２４および５３５がスロットインされる。
【００５７】
図６Ｅに移り、蓋２３５は、そのクラウン５５５を前に向けて（下方に）、貫通穴５１５の中に（矢印によって示されるように上から）それを押すことによって、カバー２３０（全ての上述のコンポーネントが既に備えられている）の中にマウントされる。蓋２３５は、ディスク５５０がカバー２３０の座ぐり５２０に寄りかかるまで押される。結果として、蓋２３５のクラウン５５５およびタレット５６０は、それぞれ、クラウン５４０の中および送達導管３３９の中に圧入される（蓋２３５を所定の位置に保持するそれらの干渉による）。この時点で、保護フィルム２４０がカバー２３０上に置かれて、その円形本体５６５を貫通穴５１５の周りに置いて（それにより蓋２３５をカバーする）、そのハンドリングタブ５７０をわずかに、そして自由に、カバー２３０のディスク５１０の外側に突き出す。保護フィルム２４０は、クロージャ１３５を完成させるように、円形本体５６５の境界に沿ってディスク５１０に溶接（すなわち、加熱密封）または接着される。参照５８０は、保護フィルム２４０の周辺境界における溶接された接合部の分配の例を示す（ディスク５１０と後者を関連させるため）。このようにして、保護フィルム２４０は、剥離可能な方法で（すなわち、いかなるツールも必要とせずにユーザーの手によって簡単に取り外せるように）、カバー２３０に取り付けられる。
【００５８】
上記を考慮すると、クロージャは、自動的に、しかも低コストで組み立てられ得る。さらに、本開示のクロージャの全てのコンポーネントは、押す力を用いて簡単に関連され得て、その事実は、その製造を有利に単純化する。
【００５９】
ここで図７を参照して、本開示の実施態様に係る医療製品１００を製造するための方法の主なステップが示される。
【００６０】
コンテナー１１０は、その口１２５を通して医療液体１０５が充填される。この時点で、クロージャ１３５は（場合によりその予備滅菌後）、その開口末端を前に向けて（下方に）、口１２５の上に（矢印によって示されるように上から）それを押すことによって、コンテナー１１０の上にスナップフィットされる。クロージャ１３５の歯３１８がコンテナー１１０のリム１３０に係合すると、歯３１８の内側の方位は、それらの弾力性を生じさせて、それにより、クロージャ１３５がリム１３０の上を通過するのを可能にして、コンテナー１１０に固定する（歯３１８は、それから、リム１３０が克服（ｏｖｅｒｃｏｍｅ）されたらすぐにそれらのオリジナルの位置へ弾性的に戻って、それにより、必要な把持力を保証する）。同時に、インサート２１５の弾性円筒４３９は、（それらの干渉のおかげで）口１２５の中に圧入される。クロージャ１３５は、それらの間で圧迫されたインサート２１５の弾性フランジ４４２を通してディスク３０６が口１２５のエッジに寄りかかるまで押される。結果として、クロージャ１３５の上への押す力が解除されると、弾性フランジ４４２は、そのオリジナルの形状に弾性的に戻る傾向がある。このようにして、弾性フランジ４４２は、クロージャ１３５をコンテナー１１０から離れるように（上方に）押して、その結果として、歯３１８は、リム１３０のアンダーカットに対して、その結果コンテナー１１０にしっかり固定されているクロージャ１３５に対して、力がかけられる。さらに、歯３１８は、クロージャ１３５の外側からアクセスすることができないので、固定は不可逆である（すなわち、破壊せずにコンテナー１１０からクロージャ１３５を取り外すことは、不可能または少なくとも非常に難しい）。このことは、医療製品１００の任意のタンパリングを防ぐ（または少なくとも実質的に妨げる）。実際に、クロージャ１３５は、コンテナー１１０から、クロージャ１３５自体を破壊することによってのみ取り外され得て、したがって、後者を連続使用に不適切にさせる。この態様は、医療製品１００の安全性を明らかに改善する。同時に、（少なくとも部分的に圧縮された）弾性円筒４３９およびインサート２１５の弾性フランジ４４２は、コンテナー１１０を外的環境からシールする。
【００６１】
医療製品１００はそれから、オートクレーブ（図示せず）中で滅菌される。クロージャ１３５は、（例えば、歯３１８の剛性によって）この滅菌段階中、特にその加温過渡中（相対的に高い圧力がコンテナー１１０の内側に生じ、オートクレーブ内に注入される加圧空気によって補われていない）に、コンテナー１１０に対するその固定を確実にするように構成される。
【００６２】
上記を考慮すると、医療製品は、自動的に、しかも低コストで組み立てられ得る。さらに、本開示のクロージャは、押す力を用いてコンテナーと簡単に関連され得て、その事実は、最終的な医療製品の製造を有利に単純化する。本開示のクロージャは、そのインサートのおかげで、コンテナー自体（例えば、クロージャとの適切な連結を可能にするのに十分に剛性である限り、その首）のいかなる特定の改変も必要とせずに、任意の材料で作られた任意の標準的なコンテナーの上にもマウントされ得る。
【００６３】
ここで図８Ａ〜図８Ｇを参照して、本開示の実施態様に係る医療製品を用いるための方法の主なステップが示される。
【００６４】
まず図８Ａについては、（例えば、患者のＣＴスキャン検査の一部として注入を行なうために）医療製品１００が用いられなければならない場合は、健康管理助手などの操作者は、最初に、保護フィルム２４０を取り除く。この目的のために、操作者は、カバー２３０の外側に自由に突き出ているハンドリングタブ５７０を握り；操作者はそれから、保護フィルム２４０を剥がすように、ハンドリングタブ５７０をカバー２３０から離れるように（それに対するその溶接と反対に）引っ張る。
【００６５】
図８Ｂに移り、操作者は、蓋２３５を取り除く。この目的のために、操作者は、アクセスディップ５２５の中に２本の指の先を挿入することによってディスク５５０をつまみ；操作者はそれから、カバー２３０から蓋２３５を切り離すように、ディスク５５０をカバー２３０から離れるように（その中のその圧入と反対に）引っ張る。
【００６６】
図８Ｃに移り、操作者は、カバー２３０上に作用することによって、（例えば、矢印によって示されたように時計回りに）クロージャ１３５を回転させる。カバー２３０はキャップ２０５をドラッグして、それにより、それらのスタッガーリブ（図に見えない）の機械的連結のおかげで、その回転をそれに移して；次々に、キャップ２０５はカーソル２１０をドラッグして、それにより、カーソル２１０の溝４０９とキャップ２０５のリブ３２７の干渉のおかげで、その回転をそれに移す（その対応する拡大された部分においてより良好に見ることができる）。インサート２１５はその代わりに、それらの摩擦のおかげで、コンテナー１１０と一体で維持して；さらに、バルジングリング４４５は、その回転中にキャップ２０５がインサート２１５をドラッグするのを防止する（または少なくとも実質的に制限する）ように、キャップ２０５のディスク３０６とインサート２１５との間の接触表面を、その結果、対応する摩擦を減少させる。結果として、カーソル２１０は、上方（コンテナー１１０の外側）に並進するように、インサート２１５の中にねじ込む。
【００６７】
カーソル吸引導管４３３はそれから、キャップ吸引導管３４５に沿って、それに従って（上方）スライドする。カーソル吸引導管４３３の尖った先端４３５が壊れやすいエレメント３５１に到達するとすぐに、尖った先端４３５は、壊れやすいエレメント３５１を破壊して（図８Ｄを参照）；尖った先端４３５の構造は、その粒子が脱離するいかなる危険も伴わずに、壊れやすいエレメント３５１の破壊を促進する。（破壊された）壊れやすいエレメント３５１は、キャップ吸引導管３４５に付着したままでそれによって空気の通路をブロックするいかなる危険も避けるように、キャップ吸引導管３４５の境界に付着して、その中に形成された対応するノッチ（図示せず）の中に収容されたままである。
【００６８】
同時に、バルブ部材４２４も同様に、送達導管３３９に沿って、それに従って（上方に）スライドして、その中にさらに入り、それから、送達口３３６を閉じたままにする（図８Ｄを参照）。クロージャ１３５は、カーソル２１０の溝４０９の底壁が、キャップ２０５のリブ３２７の軸上のフリー末端に対して寄りかかるまで回転される。カーソル２１０は（クロージャ１３５の組み立て中に）インサート２１５の中に既に部分的にねじ込まれているので、この（破壊）エンド−オブ−ストロークの位置は、相対的に短い回転（例えば、１．５〜２．０回転、例えば１．８回転）で到達される。したがって、壊れやすいエレメント３５１を破壊する操作は非常に早い。
【００６９】
図８Ｄに示されるように、操作者は、医療製品１００を送達デバイス（図示せず）に接続する。
【００７０】
例えば、送達デバイスは、コンテナー１１０内に存在する医療液体１０５で充満されるシリンジであってよい。典型的に、シリンジは、クロージャ１３５のコネクター３４２と適切に合って係合するコネクターを備えた先端を有するニードルレスシリンジである。好ましくは、シリンジは（医療液体１０５が充填された時点で）、診断手順（例えば、ＣＴ、ＭＲまたは超音波イメージング適用）または治療的インフュージョン中に、造影剤、生理食塩水、治療的物質（例えば、薬物）および／またはそれらの組み合わせを注入するための、シリンジインジェクター（例えば、Ｂｒａｃｃｏ  Ｉｎｊｅｎｅｅｒｉｎｇ  ＳＡ製のＥｍｐｏｗｅｒ  ＣＴＡまたはＥｍｐｏｗｅｒ  ＣＴＡ＋、商標）において用いられるプリフィルドシリンジとなる。あるいは、送達デバイスは、シリンジレスのインジェクター（例えば、Ｂｒａｃｃｏ  Ｉｎｊｅｎｅｅｒｉｎｇ  ＳＡ製のＣＴ  Ｅｘｐｒｅｓ、商標）であってよい。特に、コネクター３４２は、トランスファーラインのフリー末端に提供されるコネクターによって係合され得て、それは、供給ステーションをインジェクターの加圧ユニット（例えば、ぜん動ポンプ）に接続する。供給ステーション（典型的に、それぞれのインジェクターに関して２〜３個）は、スキャン検査（例えば、ＣＴイメージング手順）中に患者へ注入される医療液体（例えば、造影剤、生理食塩水またはそれらの組み合わせ）を供給するためのコンテナー（ボトルまたはバッグ）を備える。トランスファーラインは、典型的に、それぞれの供給ステーションのために提供されて、様々なトランスファーラインのセット（すなわち全体）は、送達アレンジメントを規定して、それはしばしば技術者によって、「デーセット」または「トランスファーセット」として示される。本開示に係るクロージャは、送達アレンジメントのトランスファーラインと医療液体のコンテナーを直接的に接続するために有利に使用され得て、それにより、注入を実行するための一部の準備ステップを簡略化して、ならびに、それと関係がある一部の危険を減らす。例えば、本開示のクロージャを用いることによって、供給ステーションのボトルをトランスファーラインに接続するために典型的に用いられる特定のさらなるボトルコネクターを回避することが可能であり、前記ボトルコネクターは、ボトル内に含まれる液体にアクセスするためにボトルキャップのゴム製メンブレンに穴をあけるスパイクを備える。コンポーネント、ならびに、その接続に必要とされる全ての必要な操作ステップを除去すること、およびさらには、穴あけエレメントの使用を避けることは、操作者の安全性を増大させて（自分自身を負傷させる危険をもはや冒さない）、１回の注入手順の全体的なコストを減らすことにおいて、インジェクターの安全性の増大に貢献する（例えば、環境汚染の危険を減らす）ことが明らかである。
【００７１】
いずれの場合においても、何であれ、注入システムは、クロージャ１３５のコネクター３４２と合うコネクター８０５が典型的に備えられる。例えば、コネクター８０５は、コネクター３４２によって保有される雄ネジと合う雌ネジが備えられたスリーブ８１０を備える雄ルアーロックフィッティングである。雄ルアーロックフィッティング８０５は、スリーブ８１０内に収容された（先細の）接続導管８１５をさらに備え、接続導管８１５の外側表面は、送達導管３３９の内側表面と合う。操作者は、コネクター８０５をコネクター３４２の上に合わせて（すなわち、操作者は、接続導管８１５のフリー末端を送達導管３３９の前方部分に導入する）、それから、コネクター８０５をコネクター３４２上にねじ込む（あるいは、操作者は、コネクター３４２をコネクター８０５上にねじ込む）。結果として、コネクター８０５は、クロージャ１３５の中に（下方に）回転してスライドする（すなわち並進する）。
【００７２】
この時点で、操作者は、以前に行なわれた回転に対して反対の方向（すなわち、矢印によって示されるように、問題となっている例では反時計回り）でクロージャ１３５を回転させて；この目的のために、上記のとおり、操作者はカバー２３０に対して作用して、それはキャップ２０５をドラッグして、次々に、カーソル２１０をドラッグする（一方で、インサート２１５は、コンテナー１１０と一体化したままである）。結果として、カーソル２１０は、下方に（クロージャ１３５の内側に）並進するように、インサート２１５からネジが緩められる。バルブ部材４２４はそれから、送達導管３３９に沿って、それに従って（下方に）スライドする。操作のこの時点で、バルブ部材４２４は開位置になり（図８Ｅを参照）、バルブ部材４２４が送達導管３３９から出て、それにより、送達口３３６を通してコンテナー１１０の内部と流体連通して送達導管３３９を置くように、送達口３３６を離れる（ｃｌｅａｒ）。同時に、カーソル吸引導管４３３も同様に、キャップ吸引導管３４５に沿って、それを離さずに、それに従って（下方に）スライドする（図８Ｆを参照）。キャップ２０５およびカーソル２１０の対応する拡大された部分により良好に見ることができるように、クロージャ１３５は、カーソル２１０のタブ４１５の歯４１８のリアストップ面（ｒｅａｒ  ｓｔｏｐ  ｆａｃｅ）が、キャップ２０５のタブ３３０の歯３３３のリアストップ面に対して寄りかかるまで回転されて；この（開口）エンド−オブ−ストロークの位置（図８Ｅを参照）は、破壊エンド−オブ−ストロークの位置に到達するのに必要なものよりも長い回転（例えば、２．０〜３．０回転、例えば２．６回転）によって到達される（例えば、最初のものは、後のものの１．１〜２．５、好ましくは１．２〜２．０、さらにより好ましくは１．３．〜１．７、例えば１．５倍に等しい）。
【００７３】
したがって、医療製品の使用は、２つの別個の操作を必要とする；特に、（第一の）回転は、壊れやすいエレメントを破壊するために必要であり、（第二の）回転は、送達口を開けるために必要である。これらの２つの回転は、医療製品に対する任意の偶然的な策略の危険を制限するように、反対方向である。さらに、送達口を開けるための回転は、反時計回りであり、しかも、非常に直感的であり；反対に、壊れやすいエレメントを破壊するための回転は、時計回りであり、しかも、故意に行なわれる（余分のクロージャ）操作を必要とする（さらなる安全性を加えるため）。
【００７４】
図８Ｅに移り、操作者は、クロージャ１３５を下に向けるために、医療製品１００をひっくり返す。この状態では、医療液体１０５は、コンテナー１１０からカーソル２１０へ（そのサドル４０４を通って軸方向および横方向に）流れて、カーソル２１０の窓４２１および４３０を横切り；医療液体１０５は、送達口３３６を通ってクロージャ１３５の送達導管３３９の中へ、それからコネクター８０５の接続導管８１５の中へ流れる。さらに、バルブ部材４２４の側部窓４３０は、（中空）タレット４２７内の医療液体１０５の任意の蓄積を防ぐ（または少なくとも実質的に減少させる）。
【００７５】
図８Ｆに移り、同時に空気がキャップ吸引導管３４５およびカーソル吸引導管４３３を通って外的環境から吸引されて、それから、吸引口４３５を通ってコンテナー１１０に入る。コンテナー１１０に入る空気は、医療液体１０５の送達によって引き起こされるコンテナー１１０内の圧力減少を補う（その外側の大気圧によって、コンテナー１１０内の内部圧力を平衡化する）。さらに、クロージャ１３５の設計のおかげで（特に、送達口３３６が、クロージャ１３５の縦軸２０３に沿って、吸引口４３５から、キャップ吸引導管３４５の長さ＋キャップ吸引導管３４５の外側に突き出ているカーソル吸引導管４３３の部分だけ空間があいている、すなわち、２つの口は、コンテナー１００の内側で、異なる高さ−異なる深さ−にあるという事実のおかげで）、空気は、コンテナーから送達される医療液体１０５と気泡を混合する任意の危険を大いに制限するように、送達口３３６（そこから医療液体１０５がコンテナー１１０を出る）から遠く離れたコンテナー１１０に入る。
【００７６】
所望の操作が完了した（例えば、コンテナー１１０が空になった、または、スキャン検査と関連する１つまたは複数の注入が完了した）時点で、操作者は、（このひっくり返された状態で、または、医療製品１００を再度ひっくり返してクロージャ１３５を上に向けた後に）、コネクター３４２からコネクター８０５のネジを緩める。
【００７７】
図８Ｇに移り、最後に操作者は、医療製品１００を再度ひっくり返してクロージャ１３５を上に向ける（以前にまだされていないならば）。操作者はそれから、カバー２３０に対して作用することによって、最後に行なわれた方向に対して反対の方向（すなわち、矢印によって示されるように、問題となっている例では時計回り）にクロージャ１３５を回転させて、それはキャップ２０５をドラッグして、次々に、カーソル２１０をドラッグして（一方で、インサート２１５は、コンテナー１１０と一体化したままである）、上方に（クロージャ１３５の外側に）並進させる。バルブ部材４２４はそれから、送達導管３３９に沿って、それに従って（上方に）スライドする。このようにして、図に示されるように、バルブ部材４２４が閉位置に戻り、バルブ部材４２４が送達導管３３９に再度入って、それにより、コンテナー１１０内に残り得る任意の医療液体の分散を防ぐように、送達口３３６を再度シールする。同時に、カーソル吸引導管４３３も同様に、キャップ吸引導管３４５に沿って、それに従って（上方に）スライドして、さらにその中に入る。クロージャ１３５は、カーソル２１０の溝４０９の底壁が、キャップ２０５のリブ３２７の軸上のフリー末端に対して再度寄りかかるまで回転される。操作者はそれから、（実質的に空の）医療製品１００を通常どおりに廃棄する。
【００７８】
改変
局所的および特異的要求を満たすために、当業者は、本開示に対して多くの論理的および／または物理的改変および変更を適用し得る。より具体的には、本開示は、その１つまたは複数の実施態様に関して特定の程度の特殊性によって説明されているが、形式および詳細における様々な省略、置換および変更ならびに他の実施態様が可能であることが理解されるべきである。特に、本開示の異なる実施態様は、そのより徹底的な理解を提供するために先行する説明に示される特定の詳細（例えば数値）がなくても実施され得て；反対に、よく知られた特徴は、必要でない特定によって説明を曖昧にしないように省略または簡略化されていてよい。さらに、本開示の任意の実施態様との関連で説明される特定のエレメントおよび／または方法ステップは、一般的な設計選択の事項として任意の他の実施態様に組み込まれ得ることが明示的に意図される。いずれの場合においても、それぞれの数値は、用語「約」によって修飾されたものとして読まれるべきであり（既になされていない限り）、数値のそれぞれの範囲は、その範囲内の連続に沿った任意の可能な数字を明示的に特定するものとして意図されるべきである（そのエンドポイントを含む）。さらに、序数または他の修飾語句は、同一名称とエレメントを区別するためのラベルとして単に用いられるが、それ自体でいかなる優先、先行または順序も暗示しない。用語「含む（ｉｎｃｌｕｄｅ）」、「含む（ｃｏｍｐｒｉｓｅ）」、「有する（ｈａｖｅ）」、「含む（ｃｏｎｔａｉｎ）」および「含む（ｉｎｖｏｌｖｅ）」（およびそれらの任意の形）は、オープンの、徹底的でない意味が意図されるべきであり（すなわち、列挙されたアイテムに限定されない）；用語「〜に基づく（ｂａｓｅｄ  ｏｎ）」、「〜に依存する（ｄｅｐｅｎｄｅｎｔ  ｏｎ）」、「〜に係る（ａｃｃｏｒｄｉｎｇ  ｔｏ）」、「〜の相関関係（ｆｕｎｃｔｉｏｎ  ｏｆ）」（およびそれらの任意の形）は、非排他的な関係として意図されるべきであり（すなわち、有り得るさらなる変動が含まれる）；用語「ａ／ａｎ」は、１つまたは複数のアイテムとして意図されるべきであり（別段の明示的な指示がない限り）；用語「〜のための手段（ｍｅａｎｓ  ｆｏｒ）（または任意のｍｅａｎｓ−ｐｌｕｓ−ｆｕｎｃｔｉｏｎ記述）は、関連のある機能を行なうために適用または構成された任意の構造として意図されるべきである。
【００７９】
例えば、実施態様は、液体のコンテナーの口を閉じるためのクロージャを提供する。しかしながら、クロージャは、任意のタイプ、形状、サイズおよび材料であってよく（例えば、壊れやすいエレメントの状態を示すために透明）、任意の液体の任意のコンテナーとともに使用され得る（以下参照）。
【００８０】
一実施態様では、クロージャは、キャップを備える。しかしながら、キャップは、任意のタイプ、形状、サイズおよび材料であってよい。
【００８１】
一実施態様では、キャップは、キャップをコンテナーに固定するための固定手段を有する。しかしながら、固定手段は、任意の構造で実施され得る（例えば、上述のキャップの歯に加えて、任意の他のスナップフィットタイプ、ネジ締めタイプ）。
【００８２】
一実施態様では、キャップは、コンテナーの縦軸の周りで回転可能である（固定された状態で、クロージャはコンテナーに固定される）。しかしながら、キャップは、任意の方法で回転されてよい（例えば、上述のようにカバーを通してキャップに対して作用することにより、任意の他のエレメントを通して、または直接であってもよい）。
【００８３】
一実施態様では、キャップは、コンテナーから液体を送達するための送達口を有する。しかしながら、送達口は、任意の形状、サイズであってよく、クロージャ内の任意の適切な位置に提供されてよい。
【００８４】
一実施態様では、キャップは、液体の送達中にコンテナーの中へ空気を吸引するためのキャップ吸引導管を有する。しかしながら、キャップ吸引導管は、任意の形状、サイズであってよく、クロージャ内の任意の適切な位置に提供されてよい。
【００８５】
一実施態様では、キャップは、液体の送達デバイスを接続するためのコネクターを有し、そのコネクターは、送達口と流体連通している。しかしながら、コネクターは、任意の方法で（例えば、送達デバイスおよび／またはコネクターをネジ締め、スナップフィットすることによって）任意の送達デバイス（例えば、注入システムまたはシリンジ）に接続するための、任意のタイプ、形状、サイズ、および任意の位置であってよく（例えば、ロッキングまたはフィッティングタイプ、雄または雌）；さらに、コネクターは、任意の方法で送達口と流体連通してよい（例えば、上述のように送達導管を介して、任意の他のエレメントを介して、または直接であってもよい）。
【００８６】
一実施態様では、クロージャは、カーソルを備えてよい。しかしながら、カーソルは、任意のタイプ、形状、サイズおよび材料であってよい。
【００８７】
一実施態様では、カーソルは、コンテナーに対してカーソルをネジ締めするためのネジ山を有する。しかしながら、ネジ山は、任意のタイプ、形状、サイズおよび任意の位置であってよく（例えば、その全体まで、カーソルの任意の部分に沿って伸長する）；さらに、このネジ山は、任意の方法で（例えば、任意のインサートを通して、または、コンテナーが対応するネジ山を既に備えている場合は直接であってもよい）、コンテナーに対してカーソルをネジ締めするために用いられ得る。
【００８８】
一実施態様では、カーソルは、閉位置でバルブ部材を有し、バルブ部材は送達口を閉じる。しかしながら、バルブ部材は、任意のタイプ、形状およびサイズ（例えば、チューブ、ディスク、ボール）であってよく、任意の方法で送達口を閉じてよい（例えば、送達導管内に、または、送達口においてその外側にも配列される）。
【００８９】
一実施態様では、カーソルは、キャップ吸引導管とスライド可能に連結されているカーソル吸引導管を有する。しかしながら、カーソル吸引導管は、任意の形状、サイズ、および任意の位置であってよい（例えば、コンテナーの内側に壊れやすいエレメントを動かして、カーソル吸引導管をスライドさせるのに十分な長さを維持することによって、カーソル吸引導管は短くされる、または、カーソル吸引導管がフィルターのホルダーに届く長さに至らずに壊れやすいエレメントをコンテナーの外側に動かすことによって、長くされる）；さらに、カーソル吸引導管は、任意の方法でキャップ吸引導管に対して、任意の程度で（完全まで、常に、または使用中のみ）、スライドしてよい（例えば、上述のように内側または外側に、壊れやすいエレメントは、カーソル吸引導管内に提供されるべきである）。
【００９０】
一実施態様では、クロージャは、キャップ吸引導管またはカーソル吸引導管を閉じる壊れやすいエレメントを備える。しかしながら、壊れやすいエレメントは、任意のタイプ、形状、サイズおよび材料であってよく（例えば、その破壊を促進するための任意の機構、例えば、周方向または放射状のような任意の方向に伸長しているプレカットライン、および／または、より薄い部分を有するまたは有さない、メンブレン、セプタム、薄壁）；さらに、壊れやすいエレメントは、任意の位置であってよい（例えば、上述のようにキャップ吸引導管内、または、キャップ吸引導管がその内側でスライドする場合はカーソル吸引導管内、対応する吸引導管内の任意の位置で、その中またはその境界において、他の吸引導管はその任意の距離で）。
【００９１】
一実施態様では、クロージャは、キャップによってカーソルをドラッグして回転させるためのドラッグ手段を備える。しかしながら、ドラッグ手段は、任意の構造を用いて（例えば、カーソルの溝およびキャップの上述のリブに加えて、インターロック歯、スタッガーリブによって、それらを逆さにすることによって）実施され得る。
【００９２】
一実施態様では、クロージャは、キャップの少なくとも１回転に応答して、キャップに対してカーソルをスライドさせるように構成される。しかしながら、カーソルは、任意の数、長さおよびタイプの回転に応答して、任意の程度および任意の方向にスライドし得る（例えば、１または複数の時計回り／反時計回りの回転に応答して、内側／外側にスライドする）。
【００９３】
一実施態様では、前記のキャップの少なくとも１回転の結果として、カーソル吸引導管は、壊れやすいエレメントを破壊するように動き（カーソル吸引導管をキャップ吸引導管と流体連通させて置く）、バルブ部材が開位置に動く（バルブ部材が送達口を開ける）。しかしながら、壊れやすいエレメントは、任意の方法で（例えば、中央で、横方向で）破壊され得て、送達口は、任意の方法で（例えば、送達口を離れる（ｃｌｅａｒ）、または、その中に横方向に提供される１つまたは複数の窓を単にむき出しにする、バルブ部材によって）開けられ得て；さらに、これらの結果は、異なる方向での２回転によって（安全性を増大させるため）、または、同時または２ステップのいずれかの単一回転によって（緊急な状況において操作をスピードアップするため）、得られてよく、さらなる操作が同時に行なわれてよい（例えば、送達口を閉じているさらなる壊れやすいエレメントを破壊する）。
【００９４】
一実施態様では、クロージャは、キャップのさらなる回転に応答してキャップに対してカーソルをスライドさせるように構成されて、それにより、バルブ部材をさらなる閉位置に動かす（バルブ部材が送達口を閉じる）。しかしながら、送達口は、任意の方法で（閉位置に対して同一または異なるさらなる閉位置によって）閉じられてよく；さらに、この結果は、任意の回転（例えば、任意の程度および／または方向）によって得られてよい。いずれの場合においても、それぞれのコンテナーが１人の単一の患者のみのために使われて、より多くの患者のために再利用され得ないように、任意のさらなるその使用を避けるために、コンテナーのクロージャを防ぐ可能性は除外されない（例えば、壊れやすいエレメントを破壊するためおよび送達口を開けるための両方のために、一方向のみ回転され得るキャップを用いる）。
【００９５】
一実施態様では、クロージャは、第一の方向での第一の回転（キャップの前記の少なくとも１回転）に応答して、固定された状態でコンテナーの外側にカーソルをスライドさせるように構成されて、それにより、カーソル吸引導管を動かして、壊れやすいエレメントを破壊して；さらに、クロージャは、（キャップの前記の少なくとも１回転の）第一の方向と反対の第二の方向での第二の回転に応答して、固定された状態でコンテナーの内側にカーソルをスライドさせるように構成されて、それにより、バルブ部材を開位置に動かす。しかしながら、スライドおよび回転は、任意の程度を有してよく、任意のタイプであってよい（例えば、キャップが時計回りおよび反時計回りに回転される場合にそれぞれ外側および内側にスライドするカーソルを用いて、または逆も同様）。
【００９６】
一実施態様では、第一の回転は第二の回転よりも短い。しかしながら、２つの回転は、相対的用語または絶対的用語のいずれかにおいて、任意の長さを有してよい（第一の回転は、第二の回転よりも短くてよく、等しくてよく、または高くてよい）。
【００９７】
一実施態様では、クロージャは、コンテナーの中に圧入するためのインサートを備える。しかしながら、インサートは、任意のタイプ、形状、サイズおよび材料であってよく；さらに、インサートは、任意の方法（例えば、圧入に加えておよび／またはその代わりに、接着、溶接）でコンテナーに固定され得る。
【００９８】
一実施態様では、インサートは、カーソルのネジ山に合う雌ネジを有する（カーソルのネジ山は、雌ネジの中にネジ締めされる雄ネジである）。しかしながら、２つのネジ山は、任意のタイプ、形状、サイズおよび任意の位置であってよく；さらに、ネジ山を反転させる可能性は除外されない（すなわち、カーソル上が雌ネジであり、インサートまたはコンテナー上が雄ネジである）。
【００９９】
一実施態様では、インサートは、第一の材料の内側部分（雌ネジを有する）および第二の材料の外側部分（口をシールするためにガスケットを与える）を備える。しかしながら、２つの部分は、任意の材料であってよく、任意の方法（例えば、上述のオーバーモールドに加えてまたはそれの代わりに、溶接、接着）で接合されてよく；任意の場合において、単一材料からインサートを作製する可能性または２つの別個のエレメント（すなわち、ブッシュおよびガスケット）を提供する可能性は除外されない。
【０１００】
一実施態様では、インサートの外側部分は、中空の円筒状の本体（コンテナー内に圧入するため）およびフランジ（固定された状態でコンテナーの外側に留まるため）を備える。しかしながら、中空の円筒状の本体およびフランジは、任意のサイズおよび形状を有してよく；より一般的には、外側部分は、口の中および／またはそのエッジにおいて作用するための任意の他の構造を有してよい（例えば、円筒のみ、リングのみ、円筒および別個のリング）。
【０１０１】
一実施態様では、フランジは、キャップとの接触表面を減らすための突起構造を有する。しかしながら、突起構造は、任意の方法および任意の程度で接触表面を減少させてよく（例えば、継続的にフランジ全体の周り、または特定のスポットにおいてのみ）、任意の方法で（例えば、任意の数の上述のバルジングリングを用いて、または、より一般的には、任意の他の突出しているエレメント、例えば隆起、および／または陥没を用いて）、実施されてよい。
【０１０２】
一実施態様では、固定手段は、キャップをコンテナーに取り外せない方法で固定するためのものである。しかしながら、この結果は、任意の方法で（例えば、任意のスナップフィット構造によって、例えば任意の数の歯によって、バンドのような外部ファスナーによって）達成されてよく；任意の方法において、（より簡単な、または、より簡単でない）取り外し可能なキャップを有する可能性は除外されない。
【０１０３】
一実施態様では、クロージャは、取り外せない方法でキャップに固定されたカバーを備える。しかしながら、カバーは、任意のタイプ、形状、サイズ、材料であってよく、任意の方法でキャップに固定されてよく（コンテナーに対するキャップの固定に関して同一または異なり、取り外し可能な方法であってもよい）；任意の場合において、カバーは全く省略されてもよい。
【０１０４】
一実施態様では、カバーは、固定手段に対するアクセスを防ぐ（固定された状態で）。しかしながら、カバーは、任意の機能を有してよい（単なる審美的なものを含む）。
【０１０５】
一実施態様では、クロージャは、カバーによってキャップをドラッグして回転させるためのさらなるドラッグ手段を備える。しかしながら、さらなるドラッグ手段は、ドラッグ手段に関して同一または異なる任意の構造によって実施されてよい（例えば、上述のスタッガーリブに加えて、リブおよび溝、インターロック歯によって）。
【０１０６】
一実施態様では、クロージャは、キャップ吸引導管を通して吸引される空気を濾過するためのフィルターを備える。しかしながら、フィルターは、任意のタイプ（例えば、細菌、他の微生物、埃を濾過するための１つまたは複数のメンブレンまたはスポンジ層）であってよく、任意の形状、サイズ、および任意の位置であってよい（例えば、キャップ吸引口の横断面よりも小さい、等しい、または大きい、任意のホルダーを有するまたは有さない）。任意の場合において、フィルターをまったく省略する可能性は除外されない。
【０１０７】
一実施態様では、フィルターは、キャップとクロージャとの間に固定される。しかしながら、フィルターは、キャップとクロージャとの間に任意の方法で（例えば、任意の数およびタイプのそれらのエレメントの干渉によって、フィルターのホルダーに対しておよび／またはその上に直接的に、任意の方法で作用する）、または、より一般的には、任意の他の方法（例えば、カバーのコンポーネントの任意のペアの間に取り囲まれるのに加えておよび／またはそれの代わりに、圧入、接着、溶接）で、固定されてよい。
【０１０８】
一実施態様では、カーソル吸引導管は、キャップ吸引導管と反対のその末端に吸引口を有する。しかしながら、吸引口は、任意の形状およびサイズを有してよく、コンテナー内の任意の位置に配列されてよい（例えば、内側または横に向いて）。
【０１０９】
一実施態様では、吸引口および送達口は、バルブ部材が開位置にある場合、クロージャの縦軸に沿って空間があいている。しかしながら、送達口および吸引口は、任意の相対的位置（例えば、クロージャの固定された状態で、コンテナーに対して送達口が吸引口よりも内側または外側）であってよく；任意の場合において、送達口および吸引口は、長軸方向に、ゼロまでの任意の距離（例えば、キャップ吸引導管の長さおよび／またはキャップ吸引導管の外側に突き出ているカーソル吸引導管の部分によって与えられる）であってよい。
【０１１０】
一実施態様では、バルブ部材は、１つまたは複数の側部窓を有する中空タレットを備える。しかしながら、中空タレットは、任意のサイズおよび形状（例えば、四角形）であってよく、窓は、任意の数、任意の形状、サイズおよび任意の位置であってよく；任意の場合において、これらの窓は全く省略されてもよい（例えば、固形タレットの場合）。
【０１１１】
一実施態様では、クロージャは、バルブ部材が開位置にある場合に、カーソルがキャップを離すのを防ぐためのストップ手段を備える。しかしながら、ストップ手段は、任意の構造を用いて（例えば、上述のインターロック歯に加えて、ラッチまたは破壊されたネジ山によって）実施されてよく、または、それらは全く省略されてよい（例えば、キャップの対応する回転を制限することによって）。
【０１１２】
一実施態様では、カーソル吸引導管は、壊れやすいエレメントの破壊を促進するためにキャップ吸引導管に向いている尖った先端で終わる。しかしながら、尖った先端は、任意のタイプ（例えば、傾斜末端またはニードル）であってよく；任意の場合において、カーソル吸引導管は、任意の他の形状で終わってよい。
【０１１３】
一実施態様では、クロージャは、コネクターおよびキャップ吸引導管を暴露する貫通穴を有する。しかしながら、貫通穴は、任意の形状、サイズおよび任意の位置であってよい（例えば、任意のアクセスディップを有するまたは有さない）。
【０１１４】
一実施態様では、クロージャは、貫通穴を閉じる圧入蓋を備える。しかしながら、蓋は、任意の形状、サイズ、材料であってよく、任意の方法で（例えば、スナップフィットまたはネジ締めによって）固定されてよく；任意の場合において、蓋は、使用後にコンテナーを閉じるために用いられてもよく、または、全く省略されてよい。
【０１１５】
一実施態様では、クロージャは、貫通穴（蓋によって閉じられる）をシールする剥離可能な保護フィルムを備える。しかしながら、保護フィルムは、任意の形状、サイズ、材料であってよく（例えば、ハンドリングタブを有するまたは有さない）、任意の方法（例えば、溶接または接着）で固定されてよく；任意の場合において、保護フィルムは、全く省略されてもよい（単独または蓋と一緒に）。
【０１１６】
一実施態様は、液体およびコンテナーに固定された上述のクロージャ（その口を閉じるため）を備えるコンテナーを備える製品を提供する。しかしながら、製品は、任意のタイプ（例えば、医療用途または非医療用途）であってよい。コンテナーは、任意のタイプ（例えば、ボトル、バイアル、または、剛性の口を有する任意の他のコンテナー）であってよく、任意のサイズ、形状および材料であってよく（例えば、ガラス、プラスチック）；コンテナーは、任意の量およびタイプの液体を含んでよい（例えば、診断または治療的目的のための医療用途では、液体は、造影剤、生理食塩水、薬物であってよく、または、より一般的に、任意の他の目的のための非医療用途では、液体は、光沢剤、エナメル塗料、ワニス、色素であってよい）。
【０１１７】
一般に、クロージャおよびそれを備える製品がそれぞれ、異なる構造を有するまたは同等のコンポーネント（例えば、異なる材料のもの）を備える場合、または、他の操作上の特徴を有する場合に、同様の検討が当てはまる。任意の場合において、全てのそのコンポーネントは、より多くのエレメントに分けられてよく、または２以上のコンポーネントは、一緒に単一のエレメントに組み合わせられてよく；さらに、それぞれのコンポーネントは、並行して対応する操作の実行を支持するために複製されてよい。さらに、別段の規定がない限り、異なるコンポーネント間の任意の相互作用は一般に、連続的である必要はなく、直接または１つまたは複数の仲介を通して間接であってよい。
【０１１８】
一実施態様は、上述の製品を用いるための方法を提供して、その方法は、少なくとも１回転をキャップに適用して、キャップに関してカーソルをスライドさせて、それにより、カーソル吸引導管を動かして、壊れやすいエレメントを破壊するステップ（カーソル吸引導管をキャップ吸引導管と流体連通させて置く）、および、バルブ部材を開位置に動かすステップを含む（バルブ部材が送達口を開けて、バルブ部材が送達口を開ける）。
【０１１９】
一実施態様では、当該方法は、さらなる回転をキャップに適用して、キャップに関してカーソルをスライドさせて、それにより、バルブ部材をさらなる閉位置に動かすステップを含む（バルブ部材が送達口を閉じる）。
【０１２０】
一実施態様は、上述のクロージャを組み立てる方法を提供し、その方法は、カーソルをキャップの中にマウントするステップを含む。しかしながら、結果は、異なる方法で（例えば、フィルターを有するホルダーをキャップの中にマウントすることによって、および／または、カーソルをキャップの中にマウントする前にカバーをキャップの上にマウントすることによって）、達成されてよい。
【０１２１】
一実施態様は、上述の製品を製造する方法を提供し、その方法は、コンテナーに液体を充填して、それから、クロージャをコンテナーの上にマウントするステップを含む。
【０１２２】
一般に、同一の解決策が同等の方法によって実施される場合、（より多くのステップの同一機能による同様のステップまたはその一部を用いることにより、必須でない一部のステップを除去することによって、または、さらなる任意選択のステップを加えることによって）同様の検討が当てはまり；さらに、ステップは、異なる順序で、同時または交互の方法で（少なくとも部分的に）行なわれてよい。
【図１】
2020503092.tif 000003
【図２】
2020503092.tif 000004
【図３】
2020503092.tif 000005
【図４】
2020503092.tif 000006
【図５】
2020503092.tif 000007
【図６Ａ】
2020503092.tif 000008
【図６Ｂ】
2020503092.tif 000009
【図６Ｃ】
2020503092.tif 000010
【図６Ｄ】
2020503092.tif 000011
【図６Ｅ】
2020503092.tif 000012
【図７】
2020503092.tif 000013
【図８Ａ】
2020503092.tif 000014
【図８Ｂ】
2020503092.tif 000015
【図８Ｃ】
2020503092.tif 000016
【図８Ｄ】
2020503092.tif 000017
【図８Ｅ】
2020503092.tif 000018
【図８Ｆ】
2020503092.tif 000019
【図８Ｇ】
2020503092.tif 000020
【国際調査報告】
2020503092.tif 000021
2020503092.tif 000022